(57)【要約】【課題】  放送番組を予約して録画する場合に、録画した番組の再生時の頭出しや不要部分の除去編集を容易に行うことができ、予約した放送番組の放送時刻が変更された場合でも確実に録画することができる放送番組記録装置を提供する。【解決手段】  録画予約設定時に設定された設定録画開始時刻から開始マージンを差し引いた時刻を実録画開始時刻、設定録画終了時刻に終了マージンを加えた時刻を実録画終了時刻として録画予約管理部３で設定し、録画部５で実録画開始時刻と実録画終了時刻との間で録画を行って録画データストリームを作成し、設定録画開始時刻及び設定録画終了時刻における録画データストリームの位置を記録する。【選択図】  図１
2006180264.tif 000002
【特許請求の範囲】
【請求項１】
ランダムアクセス可能な記録媒体に放送番組を予約して録画する放送番組記録装置であって、
録画予約設定時に設定された設定録画開始時刻に対して開始マージンを設定し、設定録画終了時刻に対して終了マージンを設定し、前記設定録画開始時刻から前記開始マージンを差し引いた時刻を実録画開始時刻として設定し、前記設定録画終了時刻に前記終了マージンを加えた時刻を実録画終了時刻として設定する実録画時刻設定手段と、
前記実録画開始時刻と前記実録画終了時刻との間で録画データストリームを作成する録画データストリーム作成手段と、
設定録画開始位置として前記設定録画開始時刻における前記録画データストリームの位置を記録し、設定録画終了位置として前記設定録画終了時刻における前記録画データストリームの位置を記録する設定録画位置記録手段と、
予約した放送番組の放送時刻が変更された場合に、前記設定録画開始位置を前記放送番組の放送開始時刻と前記設定録画開始時刻との差分時間だけ移動させ、前記設定録画終了位置を前記放送番組の放送終了時刻と前記設定録画終了時刻との差分時間だけ移動させる録画位置修正手段と
を有することを特徴とする放送番組記録装置。
【発明の詳細な説明】
【技術分野】
【０００１】
本発明は、ハードディスクレコーダなどのランダムアクセス可能な記録媒体に放送番組を予約して録画する放送番組記録装置に関する。
【背景技術】
【０００２】
近年、ＶＴＲに代わり、ハードディスクレコーダに代表されるランダムアクセス可能な記録媒体を用いた放送番組記録装置が普及している。ランダムアクセス可能な記録媒体を用いた放送番組記録装置は、指定位置からの高速頭出し再生（チャプタサーチ）、ノンリニア編集など、ＶＴＲにはない機能を有している。
【０００３】
このような放送番組記録装置には、特定の放送番組を時間指定により記録する予約録画記録機能が搭載されている。予約録画記録の対象となる放送番組は、事前に決められたスケジュールに従って放送されている。また、連続ドラマなど、毎週あるいは毎日指定の時刻に放送される番組も存在する。
【０００４】
これら特定のパターンで放送される番組は、「週予約」や「毎日予約」など、パターン予約として一度の予約設定で毎度予約録画することが可能である。
【０００５】
しかしながら、これら特定のパターンで放送される番組の放送時刻が、特別番組により通常放送時刻から変更されることがある。この放送時刻の変更に対応するため、ユーザはパターン予約をしていても、放送スケジュールの事前調査から逃れることはできない。また、野球放送などの延長や緊急番組の放送により、急遽、放送スケジュールが変更されることもあり、手動での予約変更には限界がある。
【０００６】
そこで、放送時刻が変更される場合があることを考慮して、ユーザは記録したい番組の前後に余裕を持たせて録画時刻を予約設定することになる。しかし、この方法では、記録したい番組が通常放送時刻で放送された場合、前後に不要な番組が録画されることになり、再生時の頭出し作業や不要部分の消去作業などの煩雑な作業が増加するという問題があった。
【０００７】
そこで近年、ＥＰＧ（電子番組表）などの放送やインターネットで配信される外部番組情報を用いて、上記問題の解決を図る方法が注目を集めている。
【０００８】
ＥＰＧを利用した放送番組記録装置には、例えば特許文献１に開示されたものがある。この放送番組記録装置は、事前にＥＰＧを取得し、延長放送の可能性がある番組情報を抽出する。そして、延長放送の影響を受ける予約録画（延長の可能性がある番組及び延長の可能性がある番組後に放送される番組）について、最大延長時間を考慮した予約時刻に変更する。その後、順次ＥＰＧを取得更新し、放送延長された番組が終了したことを確認すると、実際の放送延長時間により、予約録画の修正を行う。
【０００９】
しかし、ＥＰＧを利用した放送番組記録装置では、当然ながらＥＰＧ取得機能が必要となるが、この機能の組み込みにはコストアップが伴う。また、ＥＰＧを受信することができない環境では効果を得ることができなかった。また、ＥＰＧが現在受信可能であっても、ＥＰＧ放送形式の変更、配信中止なども考えられ、将来まで受信可能である保証はない。
【００１０】
さらに、特許文献１に開示された放送番組記録装置のように特定キーワード検出を用いる場合は、キーワード検出機能が必要となるが、誤検出や検出漏れにより期待の動作が行われないことがあった。そして、キーワード検出の精度を高めることは処理の複雑化につながり、コストアップにつながる。
【特許文献１】特開２００３−１３４４３１号公報
【発明の開示】
【発明が解決しようとする課題】
【００１１】
このような点を考えると、特許文献１に開示されたような、ＥＰＧなどの外部番組情報を使用した放送番組記録装置では、放送番組を予約して録画する際に、放送時刻が変更された場合にも記録したい番組を確実に録画するために番組放送時刻の前後に余裕を持たせて録画時刻を予約設定したことにより、記録したい番組の前後に不要な番組が録画された場合に、再生時の頭出し作業や不要部分の消去作業などの煩雑な作業が増加するという問題を解決することはできなかった。
【００１２】
そこで本発明は、放送番組を予約して録画する場合に、外部番組情報を用いることなく、録画した番組の再生時の頭出しや不要部分の除去編集を容易に行うことができ、予約した放送番組の放送時刻が変更された場合でも確実に録画することができる放送番組記録装置を提供することを目的とする。
【課題を解決するための手段】
【００１３】
本発明の放送番組記録装置は、ランダムアクセス可能な記録媒体に放送番組を予約して録画する放送番組記録装置であって、録画予約設定時に設定された設定録画開始時刻に対して開始マージンを設定し、設定録画終了時刻に対して終了マージンを設定し、前記設定録画開始時刻から前記開始マージンを差し引いた時刻を実録画開始時刻として設定し、前記設定録画終了時刻に前記終了マージンを加えた時刻を実録画終了時刻として設定する実録画時刻設定手段と、前記実録画開始時刻と前記実録画終了時刻との間で録画データストリームを作成する録画データストリーム作成手段と、設定録画開始位置として前記設定録画開始時刻における前記録画データストリームの位置を記録し、設定録画終了位置として前記設定録画終了時刻における前記録画データストリームの位置を記録する設定録画位置記録手段と、予約した放送番組の放送時刻が変更された場合に、前記設定録画開始位置を前記放送番組の放送開始時刻と前記設定録画開始時刻との差分時間だけ移動させ、前記設定録画終了位置を前記放送番組の放送終了時刻と前記設定録画終了時刻との差分時間だけ移動させる録画位置修正手段とを有することを特徴とする。
【発明の効果】
【００１４】
本発明の放送番組記録装置は、録画予約設定時に設定された設定録画開始時刻から開始マージンを差し引いた時刻を実録画開始時刻として設定し、設定録画終了時刻に終了マージンを加えた時刻を実録画終了時刻として設定し、実録画開始時刻と実録画終了時刻との間で録画データストリームを作成し、設定録画開始時刻及び設定録画終了時刻における録画データストリームの位置を記録するので、予約した番組の放送時刻に変更がなかった場合には、設定録画開始位置から再生することにより開始マージン部分を気にすることなく再生することができる。また、不要な開始マージン部分及び終了マージン部分の除去編集を容易に行うことができる。
【００１５】
また、予約した番組の放送時刻に変更があった場合でも、開始マージン部分及び終了マージン部分により放送時刻の変更に対応することができるので、予約した番組を確実に録画することができる。さらに、設定録画開始位置を放送番組の放送開始時刻と設定録画開始時刻との差分時間だけ移動させ、設定録画終了位置を放送番組の放送終了時刻と設定録画終了時刻との差分時間だけ移動させるので、録画した番組の再生時の頭出しや不要部分の除去編集を容易に行うことができる。
【発明を実施するための最良の形態】
【００１６】
以下、本発明の実施の形態を図面を参照して説明する。
【００１７】
（実施例）
本発明の放送番組記録装置の実施例を図１乃至図７に基づいて説明する。図１は本発明の実施例の放送番組記録装置を示すブロック図、図２は録画予約管理部の動作の手順を示すフローチャート、図３は録画予約情報蓄積部へ保存される録画予約情報を示す図、図４は図１に示す放送番組記録装置で録画予約を実行する手順を示すフローチャート、図５は録画管理情報蓄積部へ保存される録画管理情報を示す図、図６は録画部で作成される録画データストリームを示す図、図７は設定録画開始位置及び設定録画終了位置を差分時間だけ移動させた録画データストリームを示す図である。
【００１８】
図１に示すように、本実施例の放送番組記録装置は、ユーザ命令入力部１と、システム管理部２と、録画予約管理部３と、録画管理部４と、録画部５と、録画管理情報蓄積部６と、チューナ７と、録画データストリーム蓄積部８と、録画予約情報蓄積部９と、再生管理部１０と、再生部１１とを備える。
【００１９】
ユーザ命令入力部１はユーザの指示をリモコン１２などの入力装置を介して受け取り、システム管理部２に入力命令を出力する。システム管理部２はユーザ命令入力部１からの入力命令を解析し、命令内容により、録画予約管理部３への録画予約指示、録画管理部４への録画指示、再生管理部１０への再生指示を出力する。
【００２０】
録画予約管理部３はシステム管理部２からの指示に従い、録画予約情報を作成してこれを録画予約情報蓄積部９へ保存する。また、録画予約情報蓄積部９に蓄えられた録画予約情報に基づいて録画管理部４へ指示を出力することで録画予約を実行する。
【００２１】
録画管理部４は、システム管理部２及び録画予約管理部３からの指示により録画部５へ録画指示を出力する。また、録画管理情報を作成してこれを録画管理情報蓄積部６へ保存する。
【００２２】
録画部５は録画管理部４からの指示に従い、チューナ７がアンテナ１３を介して受信した放送を、例えばＭＰＥＧ２−ＴＳなどの録画データストリームに変換してこれを録画データストリーム蓄積部８へ保存する。
【００２３】
再生管理部１０は、システム管理部２からの指示に従い、再生部１１へ再生指示を出力する。また、録画管理情報蓄積部６に蓄えられた録画管理情報に基づいて、再生指示を出力する場合もある。
【００２４】
再生部１１は再生管理部１０の指示に従い、録画データストリーム蓄積部８から録画データストリームを取得してこれを再生し、モニタ１４へ再生画を出力する。
【００２５】
次に、本実施例の放送番組記録装置で録画予約を設定する際の録画予約管理部３の動作を図２に示すフローチャートに基づいて説明する。
【００２６】
まず、ステップＳ１１０において、録画予約管理部３は、変更保証録画指示があるかどうかを判断する。変更保証録画指示はユーザからの入力としてシステム管理部２から与えられるか、あるいは予約時刻などから録画予約管理部３が変更保証録画指示を作成する。例えば、プロ野球シーズン中（３月下旬から１０月上旬）の夜７時以降を録画指示する予約は、放送時間延長による録画時刻変更が予測される。よって、このような予約には、変更保証録画指示を付加するという判断が可能である。
【００２７】
ステップＳ１１０で変更保証録画指示あり（ＹＥＳ）と判断した場合、ステップＳ１２０に進み、ユーザからの入力として与えられる設定録画開始時刻に対して開始マージンを設定し、設定録画開始時刻から開始マージンを差し引いた時刻を実録画開始時刻として設定する。例えば、設定録画開始時刻が１９時であり、開始マージンを３０分間とした場合、実録画開始時刻は１８時３０分となる。
【００２８】
次いで、ステップＳ１３０では、ユーザからの入力として与えられる設定録画終了時刻に対して終了マージンを設定し、設定録画終了時刻に終了マージンを加えた時刻を実録画終了時刻として設定する。例えば、設定録画終了時刻が２１時であり、終了マージンを１時間とした場合、実録画終了時刻は２２時となる。なお、開始マージン、終了マージンはユーザからの入力として与えられても良い。
【００２９】
ステップＳ１１０で変更保証録画指示なし（ＮＯ）と判断した場合、通常の録画予約処理となり、マージンは設定せず、実録画時刻と設定録画時刻とが同じとなる。つまり、ステップＳ１４０で実録画開始時刻として設定録画開始時刻を設定し、ステップＳ１５０で実録画終了時刻として設定録画終了時刻を設定する。
【００３０】
次に、ステップＳ１６０では、ステップＳ１１０〜Ｓ１５０で作成された録画予約情報を録画予約情報蓄積部９に保存する。録画予約情報蓄積部９に保存される録画予約情報には図３に示すように、予約番号、チャンネル、変更保証録画指示の有無、実録画開始時刻、実録画終了時刻、設定録画開始時刻及び設定録画終了時刻が記録されている。
【００３１】
録画予約管理部３は、この録画予約情報に基づいて実録画開始時刻に録画管理部４へ録画指示を出力することで録画予約を実行する。
【００３２】
次に、本実施例の放送番組記録装置で録画予約を実行する手順を、図４に示すフローチャートに基づいて説明する。
【００３３】
まず、ステップＳ２１０では、録画予約管理部３は録画予約情報蓄積部９に保存された録画予約情報に基づいて録画管理部４に録画指示を出力し、録画管理部４は録画部５に実録画開始時刻から録画を開始するように指示を出力する。録画部５は実録画開始時刻から指定された放送の録画を開始し、チューナ７がアンテナ１３を介して受信した放送を、ＭＰＥＧ２−ＴＳなどの録画データストリームに変換する。
【００３４】
次に、ステップＳ２２０において、録画予約管理部３は、録画予約情報に基づいて情報変更保証録画指示があるかどうかを判断する。変更保証録画指示あり（ＹＥＳ）と判断した場合、ステップＳ２３０では、録画予約管理部３は録画管理部４に指示を出力し、録画管理部４はその指示に従い録画部５に設定録画開始時刻における録画データストリームの位置（設定録画開始位置）を記録するように指示する。例えば、設定録画開始時刻で録画データストリームにチャプターを作成する作業がこれに当たる。
【００３５】
次いで、ステップＳ２４０では、録画管理部４は録画部５に設定録画終了時刻における録画データストリームの位置（設定録画終了位置）を記録するように指示する。
【００３６】
ステップＳ２２０で変更保証録画指示なし（ＮＯ）と判断した場合、ステップＳ２５０に進む。
【００３７】
そして、ステップＳ２５０では、録画管理部４は録画部５に実録画終了時刻に録画を終了するように指示を出力し、録画部５はそれに従い実録画終了時刻に録画を終了する。
【００３８】
次に、ステップＳ２６０では、録画管理部４は録画管理情報を作成してこれを録画管理情報蓄積部６へ出力する。録画管理情報蓄積部６に保存される録画管理情報には図５に示すように、ストリームＩＤ、変更保証録画指示情報が記録され、変更保証録画指示がありの場合は、さらに設定録画開始位置及び設定録画終了位置が記録される。
【００３９】
そして、ステップＳ２７０では、録画部５は、作成した録画データストリームを録画データストリーム蓄積部８へ出力する。録画部５で作成される録画データストリームには、図６に示すように設定録画開始位置（ＣｈａｐｔｅｒＸ）及び設定録画終了位置（ＣｈａｐｔｅｒＹ）が記録されている。
【００４０】
図５に示す録画管理情報を用いることで、録画データストリームの快適な再生編集を可能とする。
【００４１】
例えば、録画管理情報から録画データストリームにおける設定録画開始位置を知ることができるので、再生管理部１０は、録画管理情報蓄積部６に蓄えられた録画管理情報に基づいて、録画データストリームにおける設定録画開始位置から再生するように再生部１１へ再生指示を出力する。再生部１１は再生管理部１０の指示に従い、録画データストリーム蓄積部８から録画データストリームを取得してこれを再生し、モニタ１４に再生画を出力する。
【００４２】
これにより、再生時には設定録画開始位置から再生することで、ユーザは録画データストリームに記録されている開始マージン部分を気にすることなく再生画を鑑賞することができる。
【００４３】
また、番組放送時刻変更がなかった場合、開始マージン及び終了マージンは不要となるので消去することが必要となる。録画管理情報には録画データストリームにおける設定録画開始位置及び設定録画終了位置が記録されているため、録画データストリームにおける開始マージン及び終了マージン部分（図６の斜線部分）は明白であり、録画管理部４は録画管理情報に基づいて録画部５に開始マージン及び終了マージン部分を消去するように指示を出力し、録画部５はそれに従って消去する。
【００４４】
なお、万一、番組放送時刻が変更された場合でも、変更が開始マージン及び終了マージンの範囲内であれば、予約した番組は録画されており、番組放送時刻の変更に対応できる。
【００４５】
さらにこの場合、ユーザ命令入力部１に設定録画開始時刻と実際の放送開始時刻との差分時間及び設定録画終了時刻と実際の放送終了時刻との差分時間を入力すると、システム管理部２はユーザ命令入力部１からの入力命令を受けて録画管理部４に指示を出力し、さらに録画管理部４は録画部５に、録画データストリームに記録されている設定録画開始位置及び設定録画終了位置を差分時間だけ移動させるように指示する。
【００４６】
例えば、図３及び図５に示すように設定録画開始時刻を１９：００、設定録画終了時刻を２１：００、開始マージンを３０分間、終了マージンを１時間と設定した場合において、予約した番組の放送開始時刻及び放送終了時刻がそれぞれ３０分間繰り下がった場合は、図７に示すように録画データストリームの設定録画開始位置（ＣｈａｐｔｅｒＸ）及び設定録画終了位置（ＣｈａｐｔｅｒＹ）を３０分間分だけ移動させる。
【００４７】
これにより、再生時には移動した設定録画開始位置から再生することで、録画データストリームに記録されている不要部分を気にすることなく再生画を鑑賞することができる。また、録画データストリームにおける不要部分（図７の斜線部分）は明白であり、容易に消去することができる。
【００４８】
このように本実施例の放送番組記録装置によれば、録画予約管理部３で実録画開始時刻及び実録画終了時刻を設定し、録画部５で録画データストリームを作成し、設定録画開始時刻及び設定録画終了時刻における録画データストリームの位置を記録するので、予約した番組の放送時刻に変更がなかった場合には、設定録画開始位置から再生することにより開始マージン部分を気にすることなく再生することができる。また、開始マージン部分及び終了マージン部分の除去編集を容易に行うことができる。
【００４９】
また、予約した番組の放送時刻に変更があった場合でも、開始マージン部分及び終了マージン部分により放送時間の変更に対応することができるので、予約した番組を確実に録画することができる。さらに、設定録画開始位置を放送番組の放送開始時刻と設定録画開始時刻との差分時間だけ移動させ、設定録画終了位置を放送番組の放送終了時刻と設定録画終了時刻との差分時間だけ移動させるので、録画した番組の再生時の頭出しや不要部分の除去編集を容易に行うことができる。
【図面の簡単な説明】
【００５０】
【図１】本発明の実施例の放送番組記録装置を示すブロック図である。
【図２】録画予約管理部の動作の手順を示すフローチャートである。
【図３】録画予約情報蓄積部へ保存される録画予約情報を示す図である。
【図４】図１に示す放送番組記録装置で録画予約を実行する手順を示すフローチャートである。
【図５】録画管理情報蓄積部へ保存される録画管理情報を示す図である。
【図６】録画部で作成される録画データストリームを示す図である。
【図７】設定録画開始位置及び設定録画終了位置を差分時間だけ移動させた録画データストリームを示す図である。
【符号の説明】
【００５１】
１    ユーザ命令入力部
２    システム管理部
３    録画予約管理部
４    録画管理部
５    録画部
６    録画管理情報蓄積部
７    チューナ
８    録画データストリーム蓄積部
９    録画予約情報蓄積部
１０    再生管理部
１１    再生部
１２    リモコン
１３    アンテナ
１４    モニタ
【図１】
2006180264.tif 000003
【図２】
2006180264.tif 000004
【図３】
2006180264.tif 000005
【図４】
2006180264.tif 000006
【図５】
2006180264.tif 000007
【図６】
2006180264.tif 000008
【図７】
2006180264.tif 000009